Podtech/llm-jp-corpus-v4-ja_patent huggingface dataset:
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
眼疾患の防止、処置、進行の遅延及び／又は低減において使用するためのＣＥＴＰモデュレーター。
【請求項２】
眼疾患の処置に使用するための請求項１記載のＣＥＴＰモデュレーター。
【請求項３】
前記眼疾患が、白内障、角膜の混濁（不透明化）、緑内障、ブドウ膜炎又は眼内新生血管疾患である、請求項１又は２記載のＣＥＴＰモデュレーター。
【請求項４】
前記眼疾患が、増殖性網膜症、脈絡膜血管新生（ＣＮＶ）、糖尿病性及び他の虚血関連網膜症、糖尿病黄斑浮腫、病的近視、フォンヒッペル−リンダウ病、眼のヒトスプラスマ症、網膜中心静脈閉塞症（ＣＲＶＯ）、角膜血管新生、網膜血管新生又は加齢性黄斑変性症（ＡＭＤ）、より具体的にはＡＭＤ、最も具体的にはドライＡＭＤである、請求項１〜３のいずれか一項記載のＣＥＴＰモデュレーター。
【請求項５】
抗ＶＥＧＦ化合物を伴う、請求項１〜４のいずれか一項記載のＣＥＴＰモデュレーター。
【請求項６】
前記抗ＶＥＧＦ化合物が、マクジェン、ルセンティス又はアバスタチンである、請求項５記載のＣＥＴＰモデュレーター。
【請求項７】
１以上のカロテノイドを伴う、請求項１〜６のいずれか一項記載のＣＥＴＰモデュレーター。
【請求項８】
前記カロテノイドが、キサントフィルである、請求項７記載のＣＥＴＰモデュレーター
【請求項９】
ルテイン、若しくはゼアキサンチンの１つの立体異性体 、又はそれらの混合物を伴う、請求項１〜８のいずれか一項記載のＣＥＴＰモデュレーター。
【請求項１０】
ルテインと場合によりゼアキサンチンの１つの立体異性体を伴う、請求項１〜９のいずれか一項記載のＣＥＴＰモデュレーター。
【請求項１１】
前記ＣＥＴＰモデュレーターが、５−［２−（［［１−（２−エチルブチル）シクロヘキシル］カルボニル］アミノ）フェニル］２−メチルプロパンチオアートである、請求項１〜１０のいずれか一項記載のＣＥＴＰモデュレーター。
【請求項１２】
前記ＣＥＴＰモデュレーターが、Ｓ−［２−（［［１−（２−エチルブチル）シクロヘキシル］カルボニル］アミノ）フェニル］チオールをインビボで形成するプロドラッグである、請求項１〜１１のいずれか一項記載のＣＥＴＰモデュレーター。
【請求項１３】
ＣＥＴＰモデュレーター及びクロスポビドンを含む、眼疾患の防止、処置、進行の遅延、及び／又は低減に有用な医薬組成物。
【請求項１４】
前記ＣＥＴＰモデュレーターが、５−［２−（［［１−（２−エチルブチル）シクロヘキシル］カルボニル］アミノ）フェニル］２−メチルプロパンチオアートである、請求項１３に記載の医薬組成物。
【請求項１５】
前記ＣＥＴＰモデュレーターが、Ｓ−［２−（［［１−（２−エチルブチル）シクロヘキシル］カルボニル］アミノ）フェニル］チオールをインビボで形成するプロドラッグである、請求項１３に記載の医薬組成物。
【請求項１６】
１以上のカロテノイドをさらに含む、請求項１３〜１５のいずれか一項記載の医薬組成物。
【請求項１７】
前記カロテノイドが、キサントフィルである、請求項１６記載の医薬組成物。
【請求項１８】
ルテイン、若しくはゼアキサンチンの１つの立体異性体と、又はそれらの混合物をさらに含む、請求項１３〜１７のいずれか一項記載の医薬組成物。
【請求項１９】
抗ＶＥＧＦ化合物をさらに含む、請求項１３〜１８のいずれか一項記載の医薬組成物。
【請求項２０】
前記抗ＶＥＧＦ化合物が、マクジェン、ルセンティス又はアバスタチンである、請求項１９記載の医薬組成物。
【請求項２１】
前記眼疾患が、増殖性網膜症、脈絡膜血管新生（ＣＮＶ）、糖尿病性及び他の虚血関連網膜症、糖尿病黄斑浮腫、病的近視、フォンヒッペル−リンダウ病、眼のヒトスプラスマ症、網膜中心静脈閉塞症（ＣＲＶＯ）、角膜血管新生、網膜血管新生又は加齢性黄斑変性症（ＡＭＤ）、より具体的にはＡＭＤ、最も具体的にはドライＡＭＤである、請求項１３〜２０のいずれか一項記載の医薬組成物。
【請求項２２】
請求項１〜７のいずれか一項記載のＣＥＴＰモデュレーター、ルテイン、及び場合によりゼアキサンチンの１以上の立体異性体を含むキット。
【請求項２３】
「説明書」としても知られる処方情報、ブリスター包装又はビン（ＨＤＰＥ又はガラス）及び容器をさらに含む、請求項２２記載のキット。
【請求項２４】
前記眼疾患が、増殖性網膜症、脈絡膜血管新生（ＣＮＶ）、糖尿病性及び他の虚血関連網膜症、糖尿病黄斑浮腫、病的近視、フォンヒッペル−リンダウ病、眼のヒトスプラスマ症、網膜中心静脈閉塞症（ＣＲＶＯ）、角膜血管新生、網膜血管新生又は加齢性黄斑変性症（ＡＭＤ）、より具体的にはＡＭＤ、最も具体的にはドライＡＭＤである、請求項２２又は２３記載のキット。
【請求項２５】
前記眼疾患が、加齢性黄斑変性症である、請求項２２〜２４のいずれか一項記載のキット。
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
爪真菌症を治療するためのエフィナコナゾール製剤であって、少なくとも３６週間の治療期間にわたって１日１回、爪真菌症患者の治療部位に、（ａ）初めにもしくは該治療期間中に該治療部位における爪もしくは爪に付随する組織を創面切除することなく、かつ／または（ｂ）該治療期間中に該治療部位から該製剤を除去することなく、塗布されるように用いられ、
１０％ｗ／ｗエフィナコナゾール、水、シクロメチコン、アジピン酸ジイソプロピル、アルコール、Ｃ１２−１５乳酸アルキル、ブチルヒドロキシトルエン、無水クエン酸、およびエデト酸二ナトリウムを含む、製剤。
【請求項２】
（ａ）初めにまたは前記治療期間中に爪または爪に付随する組織を創面切除することなく、かつ（ｂ）前記治療期間中に前記治療部位から前記製剤を除去することなく塗布されるように用いられる、請求項１に記載の製剤。
【請求項３】
爪または爪に付随する組織を密封することなくまたは部分的に密封することなく塗布されるように用いられる、請求項１または請求項２に記載の製剤。
【請求項４】
前記治療部位が先に水と接触している場合は、前記製剤を投与する前に患者が少なくとも１０分間待つ、請求項１〜３のいずれか一項に記載の製剤。
【請求項５】
前記エフィナコナゾール製剤を投与する前に患者が前記治療部位を清浄化する、請求項１〜３のいずれか一項に記載の製剤。
【請求項６】
患者が治療前に前記治療部位を清浄化し、該清浄化が該治療部位を水で濡らす工程を含む場合は前記製剤を投与する前に患者が少なくとも１０分間待つ、請求項１〜３のいずれか一項に記載の製剤。
【請求項７】
エフィナコナゾールが前記製剤中の唯一の原薬である、請求項１〜６のいずれか一項に記載の製剤。
【請求項８】
前記製剤が、揮発性でありかつ／または爪に急速に浸透するビヒクルと、湿潤剤とを含む、請求項１〜６のいずれか一項に記載の製剤。
【請求項９】
前記製剤が、（ｉ）エフィナコナゾールの初めの製造時に組成物が無色でありかつ（ｉｉ）少なくとも約４０℃の温度で少なくとも３週間保管された後に製剤が無色または淡黄色であることを確実にするのに十分な量のブチルヒドロキシトルエン（ＢＨＴ）およびエチレンジアミン四酢酸（ＥＤＴＡ）の塩を含む、請求項８に記載の製剤。
【請求項１０】
前記治療期間が４８週間である、請求項１〜９のいずれか一項に記載の製剤。
【請求項１１】
患者が標準的な頻度より頻繁に爪を切る、請求項１〜１０のいずれか一項に記載の製剤。
【請求項１２】
患者が２週間に１回またはそれより頻繁に爪を切る、請求項１〜１０のいずれか一項に記載の製剤。
【請求項１３】
患者が２週間に１回を上回る頻度で爪を切らない、請求項１〜１０のいずれか一項に記載の製剤。
【請求項１４】
前記エフィナコナゾール製剤が、密封法または半密封法では投与されない、請求項１〜１３のいずれか一項に記載の製剤。
【請求項１５】
前記エフィナコナゾール製剤が塗布具を用いて治療部位全体に均一に広げられる、請求項１〜１４のいずれか一項に記載の製剤。
【請求項１６】
治療部位１ｃｍ２あたりに送達されるエフィナコナゾールの平均量が約０．１５ｍｇ／ｃｍ２〜約０．４５ｍｇ／ｃｍ２である、請求項１５に記載の製剤。
【請求項１７】
塗布具と流体連通している容器から前記エフィナコナゾール製剤が投与され、該塗布具を用いてエフィナコナゾールが塗布される、請求項１〜１６のいずれか一項に記載の製剤。
【請求項１８】
少なくとも約４０％の菌学的治癒率、少なくとも約２０％の臨床的有効率、少なくとも約１０％の完治率、またはそれらのうちいずれかもしくは全ての組み合わせが得られる、請求項１〜１７のいずれか一項に記載の製剤。
【請求項１９】
爪真菌症を治療するためのエフィナコナゾール製剤であって、少なくとも３６週間の治療期間にわたって１日１回、爪真菌症患者の治療部位に、（ａ）初めにもしくは該治療期間中に該治療部位における爪または爪に付随する組織を創面切除することなく、（ｂ）該治療期間中に該治療部位から該製剤を除去することなく、かつ（ｃ）該治療部位を密封することなく、塗布されるように用いられ、
８〜１２％ｗ／ｗエフィナコナゾール、水、シクロメチコン、アジピン酸ジイソプロピル、アルコール、Ｃ１２−１５乳酸アルキル、ブチルヒドロキシトルエン、無水クエン酸、およびエデト酸二ナトリウムを含む、製剤。
【請求項２０】
爪真菌症を治療ためのエフィナコナゾール製剤であって、少なくとも３６週間の治療期間にわたって１日１回、爪真菌症患者の治療部位に、（ａ）初めにもしくは該治療期間中に該治療部位における爪または爪に付随する組織を創面切除することなく、（ｂ）該治療期間中に該治療部位から該製剤を除去することなく、かつ（ｃ）該治療部位を密封することなく、塗布されるように用いられ、
１０％ｗ／ｗエフィナコナゾール、水、シクロメチコン、アジピン酸ジイソプロピル、アルコール、Ｃ１２−１５乳酸アルキル、ブチルヒドロキシトルエン、無水クエン酸、およびエデト酸二ナトリウムを含む、製剤。
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
（Ａ）以下の（Ａ１）および（Ａ２）成分を含む混合物、
（Ａ１）分子鎖中のケイ素原子に、一般式：
【化１】
2017500393.tif 000001
（式中、Ｒ１は同じかまたは異なる脂肪族不飽和結合を有さない一価炭化水素基であり、Ｒ２はアルキル基であり、Ｒ３は同じかまたは異なるアルキレン基であり、ａは０〜２の整数であり、ｐは１〜５０の整数である。）
で表されるアルコキシシリル含有基を一分子中に少なくとも２個有するオルガノポリシロキサン
（Ａ２）前記アルコキシシリル含有基を一分子中に１個有するオルガノポリシロキサン
（Ｂ）分子鎖中のケイ素原子に水酸基およびアルコキシ基を有さないオルガノポリシロキサン
（Ｃ）一般式：
Ｒ４ｂＳi(ＯＲ５)(４−ｂ)
（式中、Ｒ４は一価炭化水素基であり、Ｒ５はアルキル基であり、ｂは０〜２である。）
で表されるアルコキシシランまたはその部分加水分解縮合物、および
（Ｄ）縮合反応用触媒
を含有し、更に
（Ｅ）接着促進剤；および
（Ｆ）補強性充填剤；
のうち任意に一つまたは両方の成分を含有する室温硬化性シリコーンゴム組成物。
【請求項２】
（Ａ）成分における（Ａ１）成分と（Ａ２）成分との質量比が、１：１０〜１０：１である、請求項１に記載の室温硬化性シリコーンゴム組成物。
【請求項３】
（Ａ）成分全体の２５℃における粘度が、１００〜１,０００,０００ｍＰa・ｓの範囲内である請求項１または２に記載の室温硬化性シリコーンゴム組成物。
【請求項４】
（Ａ１）成分が、分子鎖両末端のケイ素原子にアルコキシシリル含有基を有する直鎖状のオルガノポリシロキサンであり、（Ａ２）成分が、分子鎖片末端のケイ素原子にアルコキシシリル含有基を有する直鎖状のオルガノポリシロキサンである、請求項１〜３のいずれか一項に記載の室温硬化性シリコーンゴム組成物。
【請求項５】
（Ａ）成分中のアルコキシシリル含有基が、式：
【化２】
2017500393.tif 000002
で表される基である、請求項１〜４のいずれか一項に記載の室温硬化性シリコーンゴム組成物。
【請求項６】
（Ｂ）成分の２５℃における粘度が、１０〜１,０００,０００ｍＰa・ｓの範囲内である、請求項１〜５のいずれか一項に記載の室温硬化性シリコーンゴム組成物。
【請求項７】
（Ｃ）成分が、メチルトリメトキシシランである、請求項１〜６のいずれか一項に記載の室温硬化性シリコーンゴム組成物。
【請求項８】
（Ａ）成分１００質量部に対して、（Ｂ）成分を１〜１００質量部含有し、（Ｃ）成分を０.５〜３０質量部含有し、（Ｄ）成分を０．１〜１０質量部含有する、請求項１〜７のいずれか一項に記載の室温硬化性シリコーンゴム組成物。
【請求項９】
（Ｅ）成分を含み、（Ｅ）成分が、エポキシ基含有アルコキシシラン、アクリル基含有アルコキシシラン、アミノ基含有アルコキシシラン、およびエポキシ基含有アルコキシシランとアミノ基含有アルコキシシランとの反応混合物からなる群より選択される少なくとも一種の接着促進剤である、請求項１〜８のいずれか一項に記載の室温硬化性シリコーンゴム組成物。
【請求項１０】
（Ｆ）成分を含み、（Ｆ）成分が、ヒュームドシリカ微粉末、沈降性シリカ微粉末、焼成シリカ微粉末、およびヒュームド酸化チタン微粉末からなる群より選択される少なくとも一種の補強性充填剤である、請求項１〜９のいずれか一項に記載の室温硬化性シリコーンゴム組成物。
【請求項１１】
請求項１〜１０のいずれか一項に記載の室温硬化性シリコーンゴム組成物を硬化させてなる、シリコーンゴム硬化物。
【請求項１２】
請求項１１に記載のシリコーンゴム硬化物を備える、電子機器。
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
（Ａ）分子鎖中のケイ素原子に、一般式：
【化１】
2017500394.tif 000001
（式中、Ｒ１は同じかまたは異なる、脂肪族不飽和結合を有さない一価炭化水素基であり、Ｒ２はアルキル基であり、Ｒ３は同じかまたは異なるアルキレン基であり、ａは０〜２の整数であり、ｐは１〜５０の整数である。）
で表されるアルコキシシリル含有基を一分子中に少なくとも２個有するオルガノポリシロキサン
（Ｂ）一般式：
Ｒ４２Ｓi(ＯＲ５)２
（式中、Ｒ４は一価炭化水素基であり、Ｒ５はアルキル基である。）
で表されるジアルコキシシランまたはその部分加水分解縮合物である架橋剤、および
（Ｃ）縮合反応用触媒
を含有し、更に
（Ｄ）平均単位式：
(Ｒ６３ＳiＯ１/２)ｂ(ＳiＯ４/２)
（式中、Ｒ６は同じかまたは異なる一価炭化水素基であり、ｂは０.５〜１.５の数である。）
で表されるシリコーンレジン；
（Ｅ）分子鎖中のケイ素原子に水酸基およびアルコキシ基を有さないオルガノポリシロキサン；
（Ｆ）接着促進剤；及び
（Ｇ）補強性充填剤；
のうち任意に一つまたは複数の成分を含有する室温硬化性シリコーンゴム組成物。
【請求項２】
（Ａ）成分の２５℃における粘度が１００〜１,０００,０００ｍＰa・ｓの範囲内である、請求項１に記載の室温硬化性シリコーンゴム組成物。
【請求項３】
（Ａ）成分が、分子鎖両末端のケイ素原子にアルコキシシリル含有基を有する直鎖状のオルガノポリシロキサンである、請求項１または２に記載の室温硬化性シリコーンゴム組成物。
【請求項４】
（Ａ）成分中のアルコキシシリル含有基が、式：
【化２】
2017500394.tif 000002
で表される基である、請求項１〜３のいずれか一項に記載の室温硬化性シリコーンゴム組成物。
【請求項５】
（Ｂ）成分が、ジメチルジメトキシシラン、メチルフェニルジメトキシシラン、またはジフェニルジメトキシシランである、請求項１〜４のいずれか一項に記載の室温硬化性シリコーンゴム組成物。
【請求項６】
（Ａ）成分１００質量部に対して、（Ｂ）成分を０.５〜３０質量部含有し、（Ｃ）成分を０.１〜１０質量部含有し、（Ｄ）成分を１０〜２５０質量部含有する、請求項１〜５のいずれか一項に記載の室温硬化性シリコーンゴム組成物。
【請求項７】
（Ｆ）成分を含み、（F）成分が、エポキシ基含有アルコキシシラン、アクリル基含有アルコキシシラン、アミノ基含有アルコキシシラン、およびエポキシ基含有アルコキシシランとアミノ基含有アルコキシシランとの反応混合物からなる群より選択される少なくとも一種の接着促進剤である、請求項１〜６のいずれか一項に記載の室温硬化性シリコーンゴム組成物。
【請求項８】
（Ｇ）成分を含み、（Ｇ）成分が、ヒュームドシリカ微粉末、沈降性シリカ微粉末、焼成シリカ微粉末、およびヒュームド酸化チタン微粉末からなる群より選択される少なくとも一種の補強性充填剤である、請求項１〜７のいずれか一項に記載の室温硬化性シリコーンゴム組成物。
【請求項９】
請求項１〜８のいずれか一項に記載の室温硬化性シリコーンゴム組成物を（A） 成分と（B）成分を架橋させるよう硬化させてなる、シリコーンゴム硬化物。
【請求項１０】
請求項９に記載のシリコーンゴム硬化物を備える、電子機器。
【請求項１１】
請求項９に記載のシリコーンゴム硬化物を用いる、電子機器の補修方法。
【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
パーソナルケア器具用の流動性媒体の分配装置であって、
流動性媒体を包含する、入口及び出口を有するチャンバと、
マウスピースがユーザの口に挿入されることに応答してユーザの歯の上部及び下部のセットを受けるように構成される頂面及び底面を有する、マウスピース分配部材であって、前記流動性媒体を受け入れるために前記チャンバの前記出口に結合され、且つ、前記流動性媒体を分注する少なくとも一つの面を有する、分配部材と、
処理対象の少なくとも一つの表面に前記流動性媒体を分注するために前記分配部材の前記少なくとも一つの面に配置される分注膜であり、常閉位置と開位置との間で動作可能で且つ該分注膜の内表面から外表面に延びる複数の一方向式の分注出口を含む分注膜と、
前記処理対象の少なくとも一つの表面と接するように前記分注膜の前記外表面に結合され且つ前記外表面から延びる複数の毛とを含み、
（ｉ）前記分注膜は、前記分注膜を挟んだ閾差圧以上の前記分注膜を挟んだ差圧の適用のみに応答して、前記分注膜を通じた前記流動性媒体の供給のために開く前記複数の一方向式の分注出口を通じて前記流動性媒体を分注し、
（ｉｉ）前記分注膜を挟んだ前記閾差圧より小さい前記分注膜を挟んだ差圧に応答して、前記複数の一方向式の分注出口は、前記分注膜を通じた前記流動性媒体の供給を終了させる常閉位置に戻る、
分配装置。
【請求項２】
前記マウスピースの前記頂面及び前記底面の少なくとも一方は、前記複数の毛による毛領域を含む、請求項１に記載の分配装置。
【請求項３】
前記マウスピースは、圧力駆動のブラッシング・マウスピースである、請求項１に記載の分配装置。
【請求項４】
前記分注膜は、エラストマ膜を更に含み、前記複数の一方向式の分注出口は、複数の細孔を含む、請求項１に記載の分配装置。
【請求項５】
前記チャンバは、ユーザが充填できるチャンバであり、前記チャンバの前記入口は、前記流動性媒体の外部供給源に前記チャンバを結合するように構成されるポートを含む、請求項１に記載の分配装置。
【請求項６】
前記チャンバ内の前記流動性媒体は、所定の投与量にある、請求項１に記載の分配装置。
【請求項７】
前記チャンバは、歯磨き粉、口内洗浄液、白色剤、治療薬、及び、それらの任意の組み合わせ、からなるグループから選択される、流動性媒体を収容するように構成される、請求項１に記載の分配装置。
【請求項８】
前記分注膜を挟んだ前記差圧は、（ｉ）ポンプと一方向弁の組み合わせ又は（ｉｉ）ふいご要素によって生成される、請求項１に記載の分配装置。
【請求項９】
前記流動性媒体の分注は、圧力駆動の流れによって達成され、前記流動性媒体の分配は、ブラッシング・マウスピースにおける圧力駆動の拍動流を用いることによって実現される、請求項１に記載の分配装置。
【請求項１０】
前記流動性媒体の流量は、複数の異なる流動性媒体の間の粘度のばらつきを補正するために、（ｉ）前記チャンバに供給される内圧及び（ｉｉ）前記分注膜の構造からなるグループから選択される少なくとも１つによって更に制御される、請求項１に記載の分配装置。
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
患者に呼吸ガス流を送出するためのガス送出システムにおいて、前記ガス送出システムは、
前記呼吸ガス流を発生させるために構成されるブロアー組立体であり、前記ブロアー組立体は、吸気マニフォールド、前記呼吸ガス流の圧力及び／又は流量を調整するために構成されるインペラ組立体、並びに患者回路に結合されるように構成される排気マニフォールドを含むガス流路を含んでいるブロアー組立体、並びに
消毒する光を発生させ、前記吸気マニフォールド、前記インペラ組立体及び前記排気マニフォールドの少なくとも１つにおける１つ以上の内部表面を消毒するために、前記１つ以上の内部表面に前記消毒する光を送出するように構成される光システム
を有し、
前記消毒する光は、紫外線光である、及び前記光システムは、紫外線光システムである、
前記消毒する光は、ＵＶｃ紫外線光である、及び前記光システムは、前記ＵＶｃ紫外線光を発生させるために構成される紫外線光システムである、
前記光システムは、回路基板と、前記回路基板に置かれる多数のＵＶｃＬＥＤと、多数の細長い光導体とを含む、前記光導体の各々は、前記ＵＶｃＬＥＤの対応する１つに結合される、並びに前記ＵＶｃＬＥＤは、前記ＵＶｃ紫外線光を発生させ、前記吸気マニフォールド、前記組インペラ立体及び前記排気マニフォールドの少なくとも１つに前記ＵＶｃ紫外線光を送出するために、前記ＵＶｃ紫外線光が前記光導体を通るように構成される、
ガス送出システム。
【請求項２】
患者に呼吸ガス流を送出するためのガス送出システムにおいて、前記ガス送出システムは、
前記呼吸ガス流を発生させるために構成されるブロアー組立体であり、前記ブロアー組立体は、吸気マニフォールド、前記呼吸ガス流の圧力及び／又は流量を調整するために構成されるインペラ組立体、並びに患者回路に結合されるように構成される排気マニフォールドを含むガス流路を含んでいるブロアー組立体、並びに
消毒する光を発生させ、前記吸気マニフォールド、前記インペラ組立体及び前記排気マニフォールドの少なくとも１つにおける１つ以上の内部表面を消毒するために、前記１つ以上の内部表面に前記消毒する光を送出するように構成される光システム
を有し、
前記消毒する光は、紫外線光である、及び前記光システムは、紫外線光システムである、
前記消毒する光は、ＵＶｃ紫外線光である、及び前記光システムは、前記ＵＶｃ紫外線光を発生させるために構成される紫外線光システムである、
前記光システムは、回路基板と、前記回路基板に置かれる多数のＵＶｃＬＥＤとを含む、並びに
前記吸気マニフォールド、前記インペラ組立体及び前記排気マニフォールドの少なくとも１つは、前記ＵＶｃ紫外線光に対し透過である材料から作られる、
ガス送出システム。
【請求項３】
患者に呼吸ガス流を送出するためのガス送出システムにおいて、前記ガス送出システムは、
前記呼吸ガス流を発生させるために構成されるブロアー組立体であり、前記ブロアー組立体は、吸気マニフォールド、前記呼吸ガス流の圧力及び／又は流量を調整するために構成されるインペラ組立体、並びに患者回路に結合されるように構成される排気マニフォールドを含むガス流路を含んでいるブロアー組立体、並びに
消毒する光を発生させ、前記吸気マニフォールド、前記インペラ組立体及び前記排気マニフォールドの少なくとも１つにおける１つ以上の内部表面を消毒するために、前記１つ以上の内部表面に前記消毒する光を送出するように構成される光システム
を有し、
前記消毒する光は、紫外線光である、及び前記光システムは、紫外線光システムである、
前記消毒する光は、ＵＶｃ紫外線光である、及び前記光システムは、前記ＵＶｃ紫外線光を発生させるために構成される紫外線光システムである、
前記光システムは、回路基板と、前記吸気マニフォールド、前記インペラ組立体及び前記排気マニフォールドの少なくとも１つの一部の内部に埋め込まれる第１の多数のＵＶｃＬＥＤと、前記回路基板に置かれる第２の多数のＵＶｃＬＥＤと、前記ブロアー組立体の１つ以上の部分を通り延在している多数の光導体とを含み、並びに
前記光導体の各々は、前記第２の多数のＵＶｃＬＥＤの対応する１つに結合されている、
ガス送出システム。
【請求項４】
前記インペラ組立体は、前記透過である材料から作られる、請求項２に記載のガス送出システム。
【請求項５】
前記吸気マニフォールドは、前記透過である材料から作られる、請求項２に記載のガス送出システム。
【請求項６】
前記排気マニフォールドは、前記透過である材料から作られる、請求項２に記載のガス送出システム。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
体の内に物体を提供するシステムであって、
前記物体は、放射線療法のための放射線源であり、当該システムは、
前記物体が提供されるべき前記体の領域を監視する超音波プローブと、
前記体の内に前記物体を提供する器具であって、前記超音波プローブからの超音波送信を受信するための受信特徴及び／又は超音波送信を前記超音波プローブに送信するための送信特徴が、前記器具の部分内の前記提供されるべき物体の存在及び／又は前記器具の前記部分内への及び／又は前記器具の前記部分からの前記提供されるべき物体の通過と共に変化するように構成される、１つ又はそれよりも多くの超音波変換器を含む、器具と、
前記物体が提供されるべき前記体の領域を監視する超音波プローブからの超音波送信を受信するための受信特徴が、器具の部分内の前記提供されるべき物体の存在並びに／或いは前記器具の前記部分内への及び／又は前記器具の前記部分からの前記提供されるべき物体の通過と共に変化するように構成される、前記体の内に前記物体を提供する前記器具の１つ又はそれよりも多くの超音波変換器の信号出力に基づき、且つ／或いは、前記物体が提供されるべき前記物体の領域を監視する超音波プローブの前記信号出力であって、前記超音波プローブに超音波送信を送信するための送信特徴が、前記器具の部分内の前記提供されるべき物体の存在並びに／或いは前記器具の前記部分内への及び／又は前記器具の前記部分からの前記提供されるべき物体の通過と共に変化するように構成される、前記体の内に前記物体を提供する前記器具の１つ又はそれよりも多くの超音波変換器からの超音波送信に応答する、信号出力に基づき、前記器具によって提供されるべき物体が、前記器具の前記部分内に存在するか否か、並びに／或いは、前記器具の前記部分内に及び／又は前記器具の前記部分から通過しているか否かを決定するように構成される、プロセッサとを含む、
システム。
【請求項２】
前記プロセッサは、前記１つ又はそれよりも多くの超音波変換器の前記信号出力及び前記超音波プローブの前記超音波送信に関する情報に基づき、且つ／或いは、前記１つ又はそれよりも多くの超音波変換器の前記超音波送信に関する情報及び前記超音波プローブの前記信号出力に基づき、前記超音波プローブに対する前記器具の位置を決定するように構成され、当該システムは、前記物体を前記体の内のそれぞれの位置に給送することによって、多数の物体を提供するために構成され、前記プロセッサの前記決定に基づき前記物体の給送位置を格納するよう構成される給送管理ユニットを更に含む、請求項１に記載のシステム。
【請求項３】
前記給送管理ユニットは、前記給送されるべき物体についての位置のためのマッピングを備え、全体的な給送分配が所定の条件に適合するために、前記給送される物体の格納給送位置に基づき、給送されるべき物体のための前記マッピングを修正するように構成される、請求項２に記載のシステム。
【請求項４】
前記給送されるべき物体は、放射源であり、前記給送管理ユニットは、給送される放射源の給送位置及び給送されるべき放射源の前記マッピングに基づき、放射線量を演算し、且つ、前記演算される放射線量が所定の範囲に入らない場合には、給送されるべき１つ又はそれよりも多くの放射源のための前記マッピングを修正するように、構成される、請求項３に記載のシステム。
【請求項５】
前記１つ又はそれよりも多くの超音波変換器は、前記器具の１つ又はそれよりも多くの部分を取り囲むように形成される、請求項１に記載のシステム。
【請求項６】
前記１つ又はそれよりも多くの超音波変換器のうちの少なくとも１つは、ジルコン酸チタン酸鉛材料、ポリフッ化ビニリデン−三フッ化エチレン−共重合体、及び／又はポリフッ化ビニリデン−テトラフルオロエチレン−共重合体に基づく、圧電材料であり、特に、ソルゲル技法及び／又は容量マイクロマシン超音波変換器及び／又は光ファイバハイドロホンによって得られる、圧電材料を含む、請求項１に記載のシステム。
【請求項７】
前記器具は、前記物体を、前記器具の先端部を通じて前記体の内に給送するために構成され、前記１つ又はそれよりも多くの超音波変換器のうちの第１のものは、前記給送されるべき物体の長さ未満である、前記器具の前記先端部に対するある距離に配置され、前記１つ又はそれよりも多くの超音波変換器のうちの第２のものは、前記給送されるべき物体の長さよりも大きい、前記第１のものに対するある距離に配置される、請求項１に記載のシステム。
【請求項８】
前記器具は、前記器具の内側の所定の位置で前記物体を取り外し可能に提供するために構成され、前記１つ又はそれよりも多くの超音波変換器のうちの第１のものは、前記物体が提供されるべき前記器具の内側の前記位置に配置される、請求項１に記載のシステム。
【請求項９】
体の内への物体の提供を検出するソフトウェアであって、
前記物体は、放射線療法のための放射線源であり、
当該ソフトウェアは、当該ソフトウェアが前記プロセッサの上で動作するときに、請求項１に記載の前記システムの前記プロセッサに前記物体の提供を検出する方法のステップを実施させる、プログラムコード手段を含み、
前記方法は、
前記物体が提供されるべき前記体の領域を監視する前記超音波プローブによる超音波送信を提供するステップと、
前記超音波送信を受信するための受信特徴が、前記器具の部分内の前記提供されるべき物体の存在並びに／或いは前記器具の前記部分内への及び／又は前記器具の前記部分からの前記提供されるべき物体の通過と共に変化するように構成される、前記体の内に前記物体を提供する前記器具の前記１つ又はそれよりも多くの超音波変換器の信号出力を受信するステップと、の組み合わせ、並びに／或いは、
前記超音波送信を送信するための送信特徴が、前記器具の部分内の前記提供されるべき前記物体の存在並びに／或いは前記器具の前記部分内への及び／又は前記器具の前記部分からの前記提供されるべき前記物体の通過と共に変化するように構成される、前記体の内に前記物体を提供する前記器具の前記１つ又はそれよりも多くの超音波変換器によって超音波送信を提供するステップと、
前記物体が前記超音波送信に応答して提供されるべき前記体の領域を監視する超音波プローブの信号出力を受信するステップと、の組み合わせ、を含み、
前記超音波送信に関する情報を用いて前記受信される信号出力を処理するステップと、
該処理に基づき前記体の内への前記物体の提供を検出するステップとを、更に含む、
ソフトウェア。
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
デリバリチューブと、
格納デバイスと、
前記デリバリチューブのルーメンを通して移動可能であり、かつ該デリバリチューブの遠位端から前記格納デバイスを移動させるように動作するプッシャと、
前記デリバリチューブの遠位端の近傍で該デリバリチューブの内側面に固定されたストッパリングであって、該ストッパリングを超えて前記プッシャが遠位に前進することを制限するストッパリングと、を含む
ことを特徴とする血管疾患治療システム。
【請求項２】
前記格納デバイスは、前記デリバリチューブの展開前に、前記デリバリチューブの遠位領域の近傍に予め設置される、請求項１に記載のシステム。
【請求項３】
前記格納デバイスは、金属ワイヤのメッシュを含む、請求項１に記載のシステム。
【請求項４】
前記格納デバイスは、前記プッシャの遠位端に設けられたプランジャと接触する近位ステム部を含む、請求項１に記載のシステム。
【請求項５】
前記格納デバイスは、塞栓材で満たされるように構成される、請求項１に記載のシステム。
【請求項６】
前記格納デバイスは、事前に装填された適合するバルーンを含む、請求項１に記載のシステム。
【請求項７】
前記塞栓材は、塞栓用コイルを含む、請求項５に記載のシステム。
【請求項８】
治療される前記血管疾患は、左心耳である、請求項１に記載のシステム。
【請求項９】
前記デリバリチューブは、カテーテルを介して送出される、請求項１に記載のシステム。
【請求項１０】
前記格納デバイスは、格納袋である、請求項１に記載のシステム。
【請求項１１】
前記塞栓材は、液体塞栓を含む、請求項５に記載のシステム。
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
近位部及び遠位部を含む細長い本体と、
前記細長い本体の前記遠位部の環状壁内に配置される第１の圧力センサと、
前記第１の圧力センサに隣接して配置されるセンタリングアセンブリであって、第１の折り畳まれた位置と、前記第１の圧力センサを血管の中心に置くために血管壁に係合するための第２の拡張位置とを有する前記センタリングアセンブリと、
を含み、
前記細長い本体は、前記細長い本体の近位端から遠位端まで延在する通路を画成し、前記通路は、その中のガイドワイヤの通過を可能とするようなサイズ及び形状にされていて、前記細長い本体は、前記通路から前記細長い本体の外面に延在する前記環状壁を含む、血管内圧測定装置。
【請求項２】
前記第１の圧力センサの外面と、前記細長い本体の前記外面とは、滑らかな外面を形成するように実質的に整列される、請求項１に記載の血管内圧測定装置。
【請求項３】
前記細長い本体の前記外面は、近位直径を有し、少なくとも１つの遠位テーパは、前記遠位部に隣接する減少された直径を有する、請求項１に記載の血管内圧測定装置。
【請求項４】
前記センタリングアセンブリは、少なくとも３つの外方向に延在するレッグを含む、請求項１に記載の血管内圧測定装置。
【請求項５】
前記センタリングアセンブリは、前記細長い本体の前記外面に取り付けられる、請求項１に記載の血管内圧測定装置。
【請求項６】
前記センタリングアセンブリは、前記第１の折り畳まれた位置にあるときは、前記細長い本体の前記外面内にはめ込められている、請求項１に記載の血管内圧測定装置。
【請求項７】
前記第１の圧力センサは、前記少なくとも１つの遠位テーパ内に配置される、請求項３に記載の血管内圧測定装置。
【請求項８】
前記細長い本体の前記外面は、０．０３５インチ以下の直径を有する、請求項１に記載の血管内圧測定装置。
【請求項９】
前記通路は、少なくとも０．０１４インチの内径を有し、前記第１の圧力センサは、前記通路と前記外面との間に配置される、請求項８に記載の血管内圧測定装置。
【請求項１０】
前記細長い本体の前記外面に取り付けられるセンサカバーを更に含み、前記センサカバーは、遠位センサ被覆位置から、前記第１の圧力センサから近位で離間される近位センサ露出位置まで移動可能である、請求項１に記載の血管内圧測定装置。
【請求項１１】
前記センサカバーは、テーパ遠位端を含む、請求項１０に記載の血管内圧測定装置。
【請求項１２】
前記センサカバーは、前記細長い本体の前記外面から外方向に突出する前記第１の圧力センサの少なくとも一部を収容する凹部を含む、請求項１０に記載の血管内圧測定装置。
【請求項１３】
前記細長い本体は、長さが少なくとも５０センチメートルである、請求項１に記載の血管内圧測定装置。
【請求項１４】
前記細長い本体の長さに沿って延在する複数の強化ワイヤを更に含み、少なくとも１つのワイヤは、前記第１の圧力センサに電気的に接続される、請求項１に記載の血管内圧測定装置。
【請求項１５】
前記細長い本体の前記遠位部の前記環状壁内に配置される複数の圧力センサを更に含む、請求項１に記載の血管内圧測定装置。
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
能動低インピーダンス電極であって、
電圧ノード、電流ノード及び出力ノードを含む電気的活動センサと、
前記電気的活動センサに対して患者電圧を適用するため、前記電圧ノードに動作可能に接続される電圧検出接触であって、前記患者電圧が、患者の生体構造領域の電気的活動を示す、電圧検出接触と、
前記電気的活動センサ及び前記生体構造領域の間のセンサ電流の指向的流れを容易にするため、前記電流ノードに動作可能に接続される電流フロー接触と、
前記出力ノードに動作可能に接続される能動電極カプラとを有し、
前記電圧検出接触及び前記電流流接触が、前記患者の生体構造領域に付けられることに基づき、電圧検出接触での前記患者電圧及び能動電極カプラでのセンサ電圧の間の等価を確立するため、前記電気的活動センサが、前記電気的活動センサ及び前記生体構造領域の間の前記センサ電流の前記指向的流れを制御するよう動作可能である、能動低インピーダンス電極。
【請求項２】
前記電気的活動センサが、前記電圧ノード、前記電流ノード及び前記出力ノードに接続される差動アンプを含む、請求項１に記載の能動低インピーダンス電極。
【請求項３】
前記差動アンプが、前記出力ノードに接続される非反転入力、前記電圧ノードに接続される反転入力、前記電流ノードに接続される出力を持つ演算増幅器を含む、請求項２に記載の能動低インピーダンス電極。
【請求項４】
前記電気的活動センサが、前記出力ノードに接続される内部電力供給を含む、請求項１に記載の能動低インピーダンス電極。
【請求項５】
前記内部電力供給が、前記出力ノードに接続される分割された電力供給を含む、請求項４に記載の能動低インピーダンス電極。
【請求項６】
前記電気的活動センサが、前記内部電力供給に接続される差動アンプを含む、請求項４に記載の能動低インピーダンス電極。
【請求項７】
前記内部電力供給が、分割された電力供給を含み、
前記差動アンプは、前記分割された電力供給に接続される電力供給を持つ演算増幅器を含む、請求項６に記載の能動低インピーダンス電極。
【請求項８】
前記電圧検出接触及び前記電流流接触が、前記患者の生体構造領域に付けられることに基づき、前記電圧検出接触及び前記電流流接触の間の患者接触インピーダンスが、前記能動電極カプラでの能動電極インピーダンスより大きい、請求項１乃至７のいずれかに記載の能動低インピーダンス電極。
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
内視鏡であって、
近位端部と、
遠位端部と、
前記遠位端部におけるオブジェクトの画像が前記近位端部において形成され得るように、前記遠位端部から前記近位端部まで延在する光路内に配置された複数のレンズと、
前記遠位端部に配置された少なくとも１つの固体エミッタであって、励起された場合に熱を生成する少なくとも１つの固体エミッタと、
前記複数のレンズを収容するように構成された長形の内部オープン領域を形成する熱伝導性クレードルであって、前記遠位端部に取り付けられ、前記少なくとも１つの固体エミッタによって生成される熱を前記遠位端部から離れるよう放散させるように構成された熱伝導性クレードルと
を備え、前記熱伝導性クレードルは銅を含む、内視鏡。
【請求項２】
前記内視鏡は関節鏡を含む、請求項１に記載の内視鏡。
【請求項３】
前記少なくとも１つの固体エミッタは少なくとも１つの発光ダイオードを含む、請求項１又は請求項２に記載の内視鏡。
【請求項４】
前記複数のレンズは長さ及び幅を有するロッドレンズを含み、前記長さは前記幅よりも長い、請求項１〜請求項３のいずれか１項に記載の内視鏡。
【請求項５】
前記熱伝導性クレードルは、分離した第１セクション及び第２セクションを含み、前記第１セクション及び第２セクションは、直円柱の長手方向の長さに沿ってギャップによって物理的に分離された前記直円柱の部分を含む、請求項１〜請求項４のいずれか１項に記載の内視鏡。
【請求項６】
前記第１セクション及び第２セクションは実質的に等しいサイズを有する、請求項５に記載の内視鏡。
【請求項７】
前記第１セクション及び第２セクションは、それぞれが前記直円柱の実質的に半分を含む、請求項５又は請求項６に記載の内視鏡。
【請求項８】
第１の半分及び第２の半分は、それぞれが２つの長手方向エッジを有し、前記第１の半分の第１の長手方向エッジと前記第２の半分の第１の長手方向エッジとは間隔によって少なくとも０．５ｍｍ分離される、請求項５〜請求項７のいずれか１項に記載の内視鏡。
【請求項９】
前記第１の半分の第２の長手方向エッジと前記第２の半分の第２の長手方向エッジとは間隔によって物理的に分離される、請求項５〜請求項８のいずれか１項に記載の内視鏡。
【請求項１０】
前記第１の半分の第２の長手方向エッジと前記第２の半分の第２の長手方向エッジとはスペーサによって物理的に間隔を置いて離して配置される、請求項５〜請求項９のいずれか１項に記載の内視鏡。
【請求項１１】
前記少なくとも１つの固体エミッタのうちの１つの、カソードに接続された第１の電気ラインと、
前記少なくとも１つの固体エミッタのうちの１つの、アノードに接続された第２の電気ラインと
を更に備え、前記第１の電気ライン及び第２の電気ラインは前記第１セクション及び第２セクションの間の前記間隔内に配置される、請求項５〜請求項１０のいずれか１項に記載の内視鏡。
【請求項１２】
前記第１の電気ライン及び第２の電気ラインは電気ワイヤを含む、請求項１１に記載の内視鏡。
【請求項１３】
前記熱伝導性クレードルは導電性であり、前記熱伝導性クレードルは前記少なくとも１つの固体エミッタへの少なくとも１つの電気経路を提供する、請求項１〜請求項１２のいずれか１項に記載の内視鏡。
【請求項１４】
前記第１セクションは前記少なくとも１つの固体エミッタのうちの少なくとも１つ上のカソードに電気的に接続され、前記第２セクションは前記少なくとも１つの固体エミッタのうちの少なくとも１つ上のアノードに電気的に接続される、請求項１〜請求項１３のいずれか１項に記載の内視鏡。
【請求項１５】
前記熱伝導性クレードルを囲む外管を更に備える、請求項１〜請求項１４のいずれか１項に記載の内視鏡。
【請求項１６】
前記熱伝導性クレードルは前記外管から電気的に絶縁される、請求項１〜請求項１５のいずれか１項に記載の内視鏡。
【請求項１７】
前記遠位端部は前記光路の部分を形成する通路を備え、前記通路は、前記通路を通した前記光路の前記部分がガラス光学要素を含まないように、第１の反射面及び第２の反射面を備える、請求項１〜請求項１６のいずれか１項に記載の内視鏡。
【請求項１８】
前記第１の反射面及び前記第２の反射面は、金属被覆された基板を含む、請求項１〜請求項１８のいずれか１項に記載の内視鏡。
【請求項１９】
前記基板はガラスを含む、請求項１８に記載の内視鏡。
【請求項２０】
前記通路に隣接した前記基板の内面は金属被覆される、請求項１８又は請求項１９に記載の内視鏡。
【請求項２１】
前記少なくとも１つの固体エミッタはベースの上に配置される、請求項１〜請求項２０のいずれか１項に記載の内視鏡。
【請求項２２】
前記ベースは熱伝導性材料を含む、請求項２１に記載の内視鏡。
【請求項２３】
前記ベースはセラミック材料を含む、請求項２１又は請求項２２に記載の内視鏡。
【請求項２４】
前記ベースは、前記少なくとも１つの固体エミッタに電力を提供するように構成された導電性経路を備える、請求項２１〜請求項２３のいずれか１項に記載の内視鏡。
【請求項２５】
前記ベースの少なくとも一部は金属被覆される、請求項２１〜請求項２４のいずれか１項に記載の内視鏡。
【手続補正書】
【提出日】平成29年12月1日(2017.12.1)
【手続補正１】
【補正対象書類名】特許請求の範囲
【補正対象項目名】請求項５
【補正方法】変更
【補正の内容】
【請求項５】
流体／粒子混合物と、過大粒子を捕捉するとともに、小径粒子の通過を許容する少なくとも１つのフィルタと、を使用するフィルタリングシステムにおいて、すすぎ流体を用いて流体／粒子混合物から前記粒子を分離し、その後、前記すすぎ流体を廃流体として容器内に単離する方法であって、かつ、前記容器は前記フィルタリングシステムの一部である方法であって、以下の、
ａ）すすぎ流体を含む仮供給容器として第１容器と第２容器、そして、空又は廃流体で部分的に満たされた仮受け入れ容器として第３容器を提供する工程、
ｂ）前記過大粒子が前記少なくとも一つのフィルタエレメントの表面上に堆積するように、前記フィルタエレメントを通して前記流体／粒子混合物をフィルタリングする工程、
ｃ）小径粒子をすすぎ流体によって前記少なくとも一つのフィルタエレメントを通してすすぐ、ここで、前記フィルタを通過した後の前記すすぎ流体は廃流体となり、前記受け入れ容器内に堆積される工程、を包含し、そして、
前記すすぎ流体は、前記第１容器が空になるまで当該第１容器から提供され、この時点で、前記第１容器は供給容器から受け入れ容器へと再指定され、その後、すすぎ流体が前記第２容器によって提供され、その間、廃流体が前記第１容器内に堆積され、それによって、前にすすぎ流体で満たされた容器を、廃流体を受け入れ格納するために利用し、
当該フィルタリング工程の間、供給容器は当該容器を前記システムから取り外すことなく受け入れ容器になり、
すべての容器は共通の流体流路の一部である方法。
【手続補正２】
【補正対象書類名】特許請求の範囲
【補正対象項目名】請求項６
【補正方法】変更
【補正の内容】
【請求項６】
更に、追加の仮供給容器を含み、ここで、供給容器が空になった時にはいつでも、それは廃流体を受け入れ格納するのに適した受け入れ容器として再指定され、
当該フィルタリング工程の間、供給容器は当該容器を前記システムから取り外すことなく受け入れ容器になり、
すべての容器は共通の流体流路の一部である請求項５に記載の方法。
【手続補正３】
【補正対象書類名】特許請求の範囲
【補正対象項目名】請求項７
【補正方法】変更
【補正の内容】
【請求項７】
各容器は、単一の供給容器がすすぎ流体を提供している時間に、前記フィルタリング処理、前記すすぎ処理、そして、前記抽出処理、によって提供される廃流体を収納するサイズに構成されている請求項５に記載の方法。
【手続補正４】
【補正対象書類名】特許請求の範囲
【補正対象項目名】請求項２０
【補正方法】変更
【補正の内容】
【請求項２０】
更に、前記流体／粒子混合物のフィルタリング工程の後に、小径粒子をすすぎ流体によって前記フィルタエレメントを通してすすぐ工程を包含する請求項１８に記載の方法。
【手続補正５】
【補正対象書類名】特許請求の範囲
【補正対象項目名】請求項３０
【補正方法】変更
【補正の内容】
【請求項３０】
更に、前記流体／粒子混合物のフィルタリング工程の後に、すすぎ流体によって追加の粒子を、前記フィルタエレメントを通してすすぐ工程を包含する請求項２８に記載の方法。
【手続補正６】
【補正対象書類名】明細書
【補正対象項目名】０００６
【補正方法】変更
【補正の内容】
【０００６】
流体／粒子混合物と、過大粒子を捕捉するとともに、小径粒子の通過を許容する少なくとも１つのフィルタと、を使用するフィルタリングシステムにおいて、すすぎ流体を用いて流体／粒子混合物から前記粒子を分離し、その後、前記すすぎ流体を廃流体として容器内に単離する方法であって、かつ、前記容器は前記フィルタリングシステムの一部である方法であって、以下の、
ａ）すすぎ流体を含む仮供給容器として第１容器と第２容器、そして、空又は廃流体で部分的に満たされた仮受け入れ容器として第３容器を提供する工程、
ｂ）前記過大粒子が前記少なくとも一つのフィルタエレメントの表面上に堆積するように、前記フィルタエレメントを通して前記流体／粒子混合物をフィルタリングする工程、
ｃ）小径粒子をすすぎ流体によって前記少なくとも一つのフィルタエレメントを通してすすぐ、ここで、前記フィルタを通過した後の前記すすぎ流体は廃流体となり、前記受け入れ容器内に堆積される工程、を包含し、そして、
前記すすぎ流体は、前記第１容器が空になるまで当該第１容器から提供され、この時点で、前記第１容器は供給容器から受け入れ容器へと再指定され、その後、すすぎ流体が前記第２容器によって提供され、その間、廃流体が前記第１容器内に堆積され、それによって、前にすすぎ流体で満たされた容器を、廃流体を受け入れ格納するために利用し、
当該フィルタリング工程の間、供給容器は当該容器を前記システムから取り外すことなく受け入れ容器になり、
すべての容器は共通の流体流路の一部である方法。
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
１又は複数の光ファイバを有する形状検出可能機器であって、
内部機構を包含する外面をもつカテーテル
を有し、
前記内部機構は、
光学形状検出のための前記１又は複数の光ファイバを受けるように構成される光ファイバ内腔と、
前記カテーテルに沿って長手方向に延在する中空を提供するプルワイヤであって、前記プルワイヤは、前記形状検出可能機器の動作中に前記光ファイバ内腔内における前記光ファイバの回転及び並進を可能にするため及び少なくとも締めつけ及び／又はねじれに抵抗するよう前記光ファイバを保護するため、その中に前記光ファイバ内腔を含むように構成される、プルワイヤと
を有する、形状検出可能機器。
【請求項２】
前記カテーテル、前記プルワイヤ、及び前記光ファイバ内腔は、共通の長軸を共有する、請求項１に記載の形状検出可能機器。
【請求項３】
前記カテーテルは、前記光ファイバ内腔における光ファイバの摩擦を低減し、前記光ファイバにおける振動を低減する内部コーティングを有する、請求項１又は２に記載の形状検出可能機器。
【請求項４】
前記カテーテルは、振動減衰機構をもたらすように構成される減衰材、ブレイド、及びストランドの少なくとも一つを有する、請求項１乃至３のいずれか１項に記載の形状検出可能機器。
【請求項５】
１又は複数の光ファイバ、及び
内部機構を包含する外面をもつカテーテル、
を有する形状検出可能装置を具備する形状検出システムであって、
前記内部機構は、
光学形状検出のための前記１又は複数の光ファイバを受けるように構成される光ファイバ内腔、及び
前記カテーテルに沿って長手方向に延在する中空を提供するプルワイヤであって、前記プルワイヤは、前記形状検出可能機器の動作中に前記光ファイバ内腔内における前記光ファイバの回転及び並進を可能にするため及び少なくとも締めつけ及び／又はねじれに抵抗するよう前記光ファイバを保護するため、その中に前記光ファイバ内腔を含むように構成される、プルワイヤ
を有する、形状検出可能機器と、
前記１又は複数の光ファイバから光学信号を受信し、前記光学信号を解釈して前記形状検出可能機器の形状を決定するように構成される、コンソールと
を有する、形状検出システム。
【請求項６】
前記カテーテルはワーキングチャネルを含み、前記プルワイヤは、前記カテーテル内に、その中心から外れて位置する、請求項５に記載のシステム。
【請求項７】
前記プルワイヤは、前記光ファイバ内腔における光ファイバの摩擦を低減し、前記光ファイバにおける振動を低減する内部コーティングを含む、請求項５又は６に記載のシステム。
【請求項８】
１又は複数の光ファイバを有する形状検出可能機器において形状を検出する方法であって、
内部機構を包含する外面をもつカテーテルを提供するステップであって、前記内部機構は、光学形状検出のための前記１又は複数の光ファイバを受けるように構成される光ファイバ内腔、及びプルワイヤ、を有し、前記プルワイヤは、前記カテーテルに沿って長手方向に延在する中空を提供し、前記プルワイヤは、前記形状検出可能機器の動作中に前記光ファイバ内腔内における前記光ファイバの回転及び並進を可能にするため及び少なくとも締めつけ及び／又はねじれに抵抗するよう前記光ファイバを保護するため、その中に前記光ファイバ内腔を含むように構成される、ステップと、
前記１又は複数の光ファイバから光学信号を受信する、ステップと、
前記光学信号を解釈して前記機器の形状を決定する、ステップと
を有する、方法。
【請求項９】
前記カテーテル、前記プルワイヤ、及び前記光ファイバ内腔は、共通の長軸を共有する、請求項８に記載の方法。
【請求項１０】
前記カテーテルは、前記光ファイバ内腔における光ファイバの摩擦を低減し、前記光ファイバにおける振動を低減する内部コーティングを有する、請求項８又は９に記載の方法。
【請求項１１】
前記カテーテルは、振動減衰機構をもたらすように構成される減衰材、ブレイド、及びストランドの少なくとも一つを有する、請求項８乃至１０のいずれか１項に記載の方法。